(57)【要約】【課題】  収納時には、吊下体を箱体内に収納し、吊り下げ時には、吊下体が箱体から外れることなく、安定した状態で吊り下げる。【解決手段】  箱体１の後面板５に延設された巻込片によって、吊下体２を収納するための空間を有する収納部３が形成される。収納部３の上面部２５に上側出入孔２１、下面部２７に下側出入孔２２が形成される。吊り下げ時、吊下体２の中間部１６が上面部２５に当接して、箱体１が吊下体２に支持される。吊下体２の上部１５が上側出入孔２１から上方に突出する。収納時、吊下体２が押し下げられると、吊下体２の中間部１６が下面部２７に当接して、上部１５が収納部３内に入る。【選択図】  図６
2005119678.tif 000002
【特許請求の範囲】
【請求項１】
上面に開閉可能な蓋体を有する箱体と、該箱体から上方に突出する吊下体とからなる吊り下げ用包装箱であって、前記箱体の側板と前記蓋体との間に、前記吊下体を上下動自在に収納する空間を有する収納部が設けられたことを特徴とする吊り下げ用包装箱。
【請求項２】
収納部の上面に、吊下体を出没可能にする出入孔が形成され、前記吊下体の上部は、吊り下げ時に前記収納部から突出し、収納時に前記収納部内に没入されることを特徴とする請求項１記載の吊り下げ用包装箱。
【請求項３】
収納部の下面に、収納時に吊下体の下部を突出させるための出入孔が形成されたことを特徴とする請求項２記載の吊り下げ用包装箱。
【請求項４】
収納部の上面の出入孔は、下面の出入孔よりも開口面積が大とされたことを特徴とする請求項３記載の吊り下げ用包装箱。
【請求項５】
側板の上縁に、巻込片が一体的に設けられ、該巻込片を重なり合うように折り曲げることによって収納部が形成され、吊下体は、落下しないように前記収納部の下面に支持されることを特徴とする請求項１〜４のいずれかに記載の吊り下げ用包装箱。
【請求項６】
吊下体の上部および下部は、中間部よりも幅狭とされ、上部と下部は形状が異なることを特徴とする請求項１〜５のいずれかに記載の吊り下げ用包装箱。
【請求項７】
吊下体は、１枚のシートを半分に折り返して形成されたことを特徴とする請求項６記載の吊り下げ用包装箱。
【発明の詳細な説明】
【技術分野】
【０００１】
本発明は、販売店の店頭において、商品を収容した箱体を吊り下げて展示、陳列できるようにした吊り下げ用包装箱に関する。
【背景技術】
【０００２】
従来から、この種の吊り下げ用包装箱は種々提案されている。例えば特許文献１には、前面板、後面板、２枚の側面板よりなる角筒容器の開口部において、前面板には蓋板および差込み片を延設し、後面板には折り返し片および係合片を延設すると共に係合片の中央部を凸出させて釣下げ用孔を有する釣下げ片を形成し、折返し片と係合片との境界線上にミシン目等による不連続切線を刻設し、後面板と折返し片との境界線上には後面板上に張り出した係合孔を穿設した吊り下げ用展示箱が提案されている。
【０００３】
また、特許文献２には、開閉蓋の一端を折り曲げて形成された折曲挿入片を有する収納箱を吊り下げるための収納箱吊下部材であって、一端が折り返されて形成された係止片と、他端に形成された吊下部とを有し、上記係止片で上記折曲挿入片を引っ掛けて収納箱を吊り下げる収納箱吊下部材が提案されている。
【０００４】
また、特許文献３には、一枚のシートを折曲して、相対向する二対の側板と少なくとも底板とを形成した容器において、上記一対の側板の上部に蓋用フラップと吊下フラップとをそれぞれ起倒自在に連接し、上記吊下フラップに吊り下げ用孔を形成し、このフラップの先端側及び上記蓋用フラップの連接側の一方に一対の差込み舌片を形成すると共に、他方にこの舌片に対応する差込み孔を形成し、上記吊下げフラップを上記蓋用フラップ上に重ねる場合には、上記一方の側の差込み舌片を他方の側の差込み孔に差込み係止するようにした包装容器が提案されている。
【０００５】
また、特許文献４には、箱本体の１つの側壁の内面に添設した状態に、下端部を破断可能とした吊下体が上記側壁内面に一体的に付設されると共に、上記吊下体は上部に吊掛部を有し高さ方向の中間部に両側肩部を有する一方、前記本体の対応位置に穿たれた前記肩部の肩幅より長さを小とした長孔から前記吊下体の上端部が僅かに外方に突出された吊下げ可能な包装用紙箱が提案されている。
【０００６】
また、特許文献５には、箱体の後壁の上縁を内側へ折り曲げて箱内部へ支持片を下向き突設し、該支持片の表面上に吊下板を上下動可能に配備する。該吊下板の上部には掛り部を形成して、吊下板下降時には吊下板の全体が箱体中に納るが、吊下板上昇時には掛り部を箱体の外側へ出すように構成する。吊下板の裏面下部には上向きに当り板を突設し、支持片に開設されたスリットを通って当り板を支持片裏面と箱壁との間に進入させている包装箱が提案されている。
【特許文献１】実公昭５７−３０９０７号公報
【特許文献２】実公昭６１−２２８２１号公報
【特許文献３】実公昭６１−２９６１８号公報
【特許文献４】実開昭６２−１１０１２４号公報
【特許文献５】実開平７−４０４４０号公報
【発明の開示】
【発明が解決しようとする課題】
【０００７】
特許文献１では、折返し片は箱の内方向に湾曲される。このため、折返し片が厚くて硬いと変形しない。また、変形可能であっても、箱内に商品が収納されていると、商品から圧迫されて、折返し片が湾曲しずらくなり、釣下げ片の引き出しが難しくなるという問題がある。
【０００８】
特許文献２では、重たい商品を収納したときのように収納箱が下方に引っ張られると、蓋が開き、収納箱吊下部材から収納箱が外れるおそれがある。また、係止片が箱内に没入してしまい、係止片を引き出しにくいという問題がある。
【０００９】
特許文献３では、保管時に吊下げ部分が邪魔になることはないが、一対の差込み舌片に対応する差込み孔を容器に形成する作業が必要となる。しかも、差込み舌片を差込むとき、フラップが折れ曲がってしまい、商品価値が低下するおそれがある。
特許文献４では、吊下体と紙箱との連結を所定の方法で解かないと、吊下体を引き出すことができない。しかも、その連結をうまく解かないと、吊下体が破損して、使用できなくなる。また、吊下体と紙箱との連結を一旦解いてしまうと、吊下体が上端部ごと完全に紙箱内に沈み込んでしまうおそれがあり、吊下体の再引き出しが難しくなるという問題がある。
【００１０】
特許文献５では、吊下板が箱体の内側寄りにあるので、吊下板を上昇させる際にキャッチしにくいという問題がある。また、箱体を吊り下げているとき、吊下板の下部および当り板が支持片の後面に接触する構造となっているので、箱体が後側に傾いたとき、折り曲げられていた支持片が吊下板の下部に当たって開く。そのため、箱体と吊下体との相対的な角度が変わって、箱体が傾いたまま吊り下げられたり、吊下板が支持片から外れるおそれもある。
【００１１】
本発明は、上記に鑑み、輸送および保管時には吊下体を箱体内に収納しておくことができ、使用する際には吊下体を容易に引き出せ、重たい物品を収納しても吊下体が箱体から外れにくく、しかも安定した状態で吊り下げることができる吊り下げ用包装箱の提供を目的とする。
【課題を解決するための手段】
【００１２】
本発明は、上面に開閉可能な蓋体を有する箱体と、該箱体から上方に突出する吊下体とからなる吊り下げ用包装箱であって、前記箱体の側板と前記蓋体との間に、前記吊下体を上下動自在に収納する空間を有する収納部が設けられたものである。
【００１３】
このように、箱体の内部に吊下体を収納するための空間が形成されるので、輸送時や保管時に吊下体は箱体の外部に突出しない。そして、吊下体は上下動自在であるので、吊り下げ時には吊下体を引き出せばよい。
【００１４】
そのため、収納部の上面に、吊下体を出没可能にする出入孔が形成される。そして、吊下体の上部は、吊り下げ時に収納部から突出し、収納時には、収納部内に没入される。このとき、吊下体は、落下しないように収納部の下面に支持される。
【００１５】
また、収納部の下面にも、出入孔を形成する。収納時に、この出入孔から吊下体の下部が突出する。すなわち、吊下体の上部および下部は、それぞれ出入孔にガイドされることになる。これによって、吊下体は、傾くことなく、スムーズに上下動する。しかも、収納時に吊下体の下部が収納部から突出するので、吊下体を収納するための空間を小さくでき、箱体内の有効容積を多くできる。
【００１６】
収納部の上面の出入孔は、下面の出入孔よりも開口面積が大とされる。これによって、吊下体を容易に引き出すことができる。下面の出入孔が上面の出入孔より大きいと、吊下体を支持しにくくなるので、吊下体の上下動がスムーズにいかない。そのため、下面の出入孔は小さいほうが適している。
【００１７】
収納部は、側板の上縁に一体的に設けられた巻込片によって形成される。巻込片を重なり合うように折り曲げることによって、四方を巻込片に囲まれた空間が形成され、これが収納部となる。なお、側板は、箱体の４面を構成する前面板、後面板、側面板のいずれでもよい。
【００１８】
吊下体は、１枚のシートを半分に折り返して形成され、吊下体の上部および下部は、中間部よりも幅狭とされ、上部と下部は形状が異なる。このように、吊下体は２重構造となり、収納部の上面や下面との接触面積が増える。そのため、吊下体の強度が増し、重い物品を箱体に入れても、吊り下げることが可能となる。吊下体の上部と下部の形状を変えることにより、吊下体の上下が明確になって、間違えて収納部に収納するミスをなくせる。
【発明の効果】
【００１９】
本発明によると、吊下体が収納部内の限られた空間を上下動することにより、輸送および保管時には吊下体は箱体内に収納され、邪魔にならない。そして、使用する際には吊下体を容易に引き出すことができる。また、吊り下げ時に吊下体は収納部内にあって、その移動が規制されるので、箱体が揺れることがあっても、箱体から吊下体が外れることはない。そのため、重たい物品を箱体に入れたときでも、安定した状態で吊り下げることができる。
【発明を実施するための最良の形態】
【００２０】
本実施形態の吊り下げ用包装箱は、図１に示すように、上面が開閉可能とされた箱体１と、該箱体１から上方に突出する吊下体２とからなる。吊下体２は、箱体１に対して上下動自在に支持され、箱体１内に、吊下体２を収納するための空間を形成する収納部３が設けられる。
【００２１】
箱体１は、図２に示すように、前面板４、後面板５、２つの側面板６、７、蓋体８、底体によって６面が構成される。１枚のシートに、後面板５、側面板６、前面板４、側面板７が一方向に並んで形成され、これらを折り曲げて、後面板５に形成された貼着片９を側面板７に貼着することにより、箱状とされる。このシートは、紙製である。なお、シートに紙以外の材料として、プラスチック材を使用してもよい。
【００２２】
蓋体８は、天フラップ１０と、これと一体の差込片１１とからなり、前面板４の上縁に延設される。底体は、４つの底フラップ１２ａ〜１２ｄからなり、アメリカンロック方式とされる。各底フラップ１２ａ〜１２ｄは、前面板４、後面板５および２つの側面板６、７の下縁にそれぞれ延設される。なお、底体は、他のキャラメル方式であってもよい。なお、図中、一点鎖線は折り目を示す。
【００２３】
吊下体２は、図３、４に示すように、１枚の紙製あるいはプラスチック製のシートを串の字状に切り抜いて、中央の２本の折り目Ｌ１、Ｌ２から二つ折りにされて形成される。すなわち、吊下体２は、２枚の同じ形状のシートの一端を連結して、隙間をあけて対向させた２重構造となる。吊下体２は、シートの中央の折り曲げた部分である上部１５、幅方向の両側に突出した中間部１６、シートの両端が重なった下部１７から構成される。上部１５には、Ｔ形の吊下孔１８が形成されている。上部１５および下部１７は、同じ幅とされ、中間部１６より幅狭とされる。上部１５の高さは、下部１７の高さより小とされ、下部１７の高さは、中間部１６の高さより小とされる。
【００２４】
後面板５の上縁に、巻込片２０が延設され、図５に示すように、巻込片２０を複数回折り曲げることにより、収納部３が形成される。巻込片２０には、巻込片２０と後面板５との境界である後面板５の上縁に沿って上側出入孔２１が形成される。上側出入孔２１は、後面板５にかけてＵ字状に開口している。巻込片２０の中間部分に、下側出入孔２２が形成される。下側出入孔２２は、幅方向に延びたＨ字状のスリットとされ、閉じた状態から開くようになっている。これらの出入孔２１、２２は、吊下体２が出入りするための孔である。
【００２５】
後面板５の上縁に沿って折り目Ｌ３が形成され、これと平行に折り目Ｌ４が形成される。2本の折り目Ｌ３、Ｌ４の間隔は、上側出入孔２１の奥行き方向の長さと等しい。下側出入孔２２の両側にも、2本の折り目Ｌ５、Ｌ６が平行に形成される。この折り目Ｌ５、Ｌ６は、下側出入孔２２の両端を起点にして形成され、折り目Ｌ５、Ｌ６の間隔は、下側出入孔２２が開口したときの奥行き方向の長さと等しい。
【００２６】
このように巻込片２０は、４回折り曲げられることになり、蓋体８と後面板５との間の隙間に位置する。巻込片２０は、上面部２５、前面部２６、下面部２７、後面部２８の４面を有する。上面部２５は、蓋体８の天フラップ１０と面一であり、前面部２６は、蓋体８の差込片１１と対向し、後面部２８は、後面板５に接触あるいは近接する。そして、上面部２５に上側出入孔２１が位置し、下面部２７に下側出入孔２２が位置する。これらの４面と後面板５とによって空間が形成され、この空間が吊下体２を上下動可能に収納する収納部３となる。
【００２７】
上面部２５の奥行き方向の長さ、すなわち上側出入孔２１の奥行き方向の長さは、吊下体２の奥行き方向の長さより大とされる。上側出入孔２１の幅は、吊下体２の上部１５の幅より若干大きく、中間部１６の幅より小さい。下面部２７の奥行き方向の長さ、すなわち下側出入孔２２の奥行き方向の長さは、吊下体２の奥行き方向の長さより大とされる。下側出入孔２２の幅は、吊下体２の下部１７の幅より若干大きく、中間部１６の幅より小さい。前面部２６の高さは、吊下体２の中間部１６と上部１５を合わせた高さとほぼ同じとされ、中間部１６と下部１７を合わせた高さよりも小とされる。後面部２８の高さは、吊下体２の中間部１６の高さとほぼ同じである。また、後面部２８の上端は、後面板５の上側出入孔２１よりも低い位置にある。吊下体２の中間部１６の幅は、後面板５の幅よりも少し小さい。なお、巻込片２０における下側出入孔２２の位置は、吊下体２の中間部１６と上部１５を合わせた高さに応じて決められる。
【００２８】
ここで、吊り下げ用包装箱を組み立てるには、まず貼着片９を側面板７に貼着して四角形の筒とし、側面板６、７の底フラップ１２ｂ、１２ｄを折り曲げた後、その上に前面板４の底フラップ１２ｃを折り曲げて重ね合わせ、後面板５の底フラップ１２ａの差込片１２ｅを前面板４の底フラップ１２ｃの内側に差し込み、底体を形成する。
【００２９】
次に、吊下体２において、串の字状のシートの中央で各折り目Ｌ１、Ｌ２を山状に折り曲げることにより、吊下体２を形成する。この吊下体２の上部１５を巻込片２０の上側出入孔２１に挿入する。そして、巻込片２０の下側の折り目Ｌ５、Ｌ６を山状に折り曲げ、吊下体２の下部を下側出入孔２２に挿入する。巻込片２０の上側の折り目Ｌ４を折り曲げて、後面部２８を後面板５に密着させる。これによって、吊下体２は、巻込片２０によって形成された空間である収納部３に収納される。このとき、吊下体２の上部１５と下部１７の形状が異なっているので、上下を間違えて挿入するミスが少なくなり、作業効率が向上する。
【００３０】
最後に、蓋体８の差込片１１を折り曲げて、天フラップ１０を折り曲げ、差込片１１を巻込片２０の前面部２６に沿って押し込むと、箱体１が完成する。箱体１には、吊下体２が上下動自在に収納される。
【００３１】
吊下体２が収納状態にあるとき、図５、６に示すように、吊下体２の中間部１６の水平な下端が、下面部２７に当接する。吊下体２の下部１７は、下側出入孔２２を押し広げて、下方に突出している。これによって、吊下体２は落下しないように下面部２７に支持される。吊下体２の上部１５の上端は、上面部２５とほぼ同じ高さにあり、上部１５は上側出入孔２１内にはあるが、上側出入孔２１から上方には突出していない。
【００３２】
箱体１に物品を入れて、吊り下げるとき、後面板側の上側出入孔２１から外部に臨んでいる吊下体２の上部１５を押し上げる。吊下体２の上部１５が上側出入孔２１から上方に突出し、吊下孔１８が現れる。吊下孔１８をフック等に引っ掛けることにより、箱体１は吊り下げられる。
【００３３】
このとき、図６に示すように、吊下体２の中間部１６の水平な上端が上面部２５に当接して、ここに箱体１の重量がかかる。吊下体２では、吊り下げ時に箱体１に支える上部１５の幅をできるだけ大きくすることにより、吊下体２にかかる単位面積当たりの荷重が小さくなり、破断しにくくなる。そのためには、中間部１６の幅と上部１５の幅との差を大きくする必要がある。しかし、上部１５の幅を大きくすると、上側出入孔２１の幅が大きくなり、吊り下げたときに吊下体２を支えきれなくなる。そこで、上部１５の幅は、中間部１６の左右の上端の幅を合わせたものより少しだけ小さくしている。なお、吊下体２は、２枚重ねた２重構造であるので、１重構造のものに比べて中間部１６が受ける荷重は半分にできる。したがって、より重量のある物品を箱体１に入れても、吊り下げることが可能となる。
【００３４】
また、吊り下げ時に箱体１に力がかかって、箱体１が傾くようなことがあっても、吊下体２の中間部１６や下部１７は収納部３とともに傾く。そのため、収納部３を形成する巻込片２０に負荷がかからないので、巻込片２０が型崩れすることはない。したがって、吊下体２は、収納部３から外れることはなく、箱体１を安定して支持できる。
【００３５】
吊下体２が吊り下げ状態にあるとき、吊下体２の中間部１６の上端から下部１７の下端までの長さは、前面部２６の高さより大きいため、吊下体２の下部１７は下側出入孔２２から下方に突出している。そのため、吊下体２を収納するとき、上部１５を押すだけで、吊下体２は傾くことなく下降する。すなわち、吊下体２は上下を各出入孔２１、２２にガイドされた状態で移動するので、吊下体２を容易にかつスムーズに上下動させることができる。
【００３６】
なお、本発明は、上記実施形態に限定されるものではなく、本発明の範囲内で上記実施形態に多くの修正および変更を加え得ることは勿論である。吊下体の中間部の構造として、幅を変えるのではなく、奥行きを上部や下部の奥行きよりも大きくする。すなわち、中間部の肉厚を上部や下部よりも厚くして、各出入孔を通過できないようにする。この場合、吊下体は、２重構造ではなく、１重構造とする。また、吊下体の上部および下部は、お互いの幅を変えたり、形を変えたりしてもよく、両者の違いが明確になるようにする。
【００３７】
収納部の下面部に下側出入孔を形成しない構造としてもよい。収納されたとき、吊下体の下部が下面部に当接して、吊下体は落下しないように支持される。
【００３８】
巻込片の代わりに、角筒状の収納部を別個に形成し、吊下体を収納して、ユニット化してもよい。このユニットを箱体の後面板に貼着等によって固定する。また、収納部は、４面によって形成する必要はなく、３面あるいは５面以上でもよい。
【図面の簡単な説明】
【００３９】
【図１】本発明の吊り下げ用包装箱の斜視図
【図２】箱体の展開図
【図３】吊下体の展開図
【図４】吊下体の斜視図
【図５】吊り下げ状態のときの収納部の断面図
【図６】吊り下げ状態のときの収納部内の正面図
【図７】収納状態のときの収納部の断面図
【図８】収納状態のときの収納部内の正面図
【符号の説明】
【００４０】
１    箱体
２    吊下体
３    収納部
４    前面板
５    後面板
６、７    側面板
８    蓋体
１５    上部
１６    中間部
１７    下部
２０    巻込片
２１    上側出入孔
２２    下側出入孔
２５    上面部
２６    前面部
２７    下面部
２８    後面部
【図１】
2005119678.tif 000003
【図２】
2005119678.tif 000004
【図３】
2005119678.tif 000005
【図４】
2005119678.tif 000006
【図５】
2005119678.tif 000007
【図６】
2005119678.tif 000008
【図７】
2005119678.tif 000009
【図８】
2005119678.tif 000010